(57)【要約】【課題】小型で、コネクタ内部に簡単に水が浸入し難いコネクタを提供する。【解決手段】フード部を有する雄コネクタと、前記フード部内に嵌合する本体部を備え、前記本体部が前記フード部に対して水平方向に嵌合される雌コネクタと、からなるコネクタであって、前記雌コネクタに、前記雄コネクタとの嵌合状態において前記フード部の外側に配され、前記フード部の先端の上方部分を覆う小フード部が設けられている。【選択図】図２２
2019021493.tif 000002
【特許請求の範囲】
【請求項１】
フード部を有する雄コネクタと、
前記フード部内に嵌合する本体部を備え、前記本体部が前記フード部に対して水平方向に嵌合される雌コネクタと、からなるコネクタであって、
前記雌コネクタに、前記雄コネクタとの嵌合状態において前記フード部の外側に配され、前記フード部の先端の上方部分を覆う小フード部が設けられているコネクタ。
【請求項２】
前記フード部および前記本体部には、前記嵌合状態において対向配置されるとともに前記雄コネクタと前記雌コネクタとの嵌合方向に沿って延びて凹凸係合することにより前記嵌合方向を案内する案内部が設けられており、
一対の前記案内部が、前記小フード部の下端の下方側に隣接して前記本体部に対して対向する位置に設けられている請求項１に記載のコネクタ。
【請求項３】
前記一対の案内部は、一方側が前記フード部に設けられ内側に向けて突出する雄側案内リブおよび前記本体部に設けられた雌側案内溝であり、他方側が前記本体部に設けられ外側に向けて突出する雌側案内リブおよび前記フード部に設けられた雄側案内溝である請求項２に記載のコネクタ。
【請求項４】
前記本体部は、前記雄コネクタと前記雌コネクタとの嵌合方向に沿って分割された複数の分割体を組み付けてなり、
前記複数の分割体のうち一の分割体、および当該一の分割体と隣り合う他の分割体の互いに対向して配される側縁部のうち、前記雄コネクタと前記雌コネクタとの嵌合方向に沿って配される側縁部の少なくとも一つに、前記嵌合方向に沿って切り欠かれた切欠部が形成されており、
前記切欠部は、前記フード部において前記嵌合方向に沿って内側に向けて突出して設けられた雄側案内リブを受ける雌側案内溝とされている請求項１ないし請求項３のいずれか一項に記載のコネクタ。
【発明の詳細な説明】
【技術分野】
【０００１】
本明細書に開示される技術は、コネクタに関する。
【背景技術】
【０００２】
一般的に車室等の車両内に設置されるコネクタは、例えば特許文献１に開示されるような非防水型のものが使用されている。非防水型のコネクタは、フード部を二重構造としたりゴムリング等のシール部材を使用したりしなくてよいため、簡易な構造とすることが可能であり、ひいては、コネクタを小型化することができる。
【先行技術文献】
【特許文献】
【０００３】
【特許文献１】特開２０００−５８１９２号公報
【発明の概要】
【発明が解決しようとする課題】
【０００４】
しかし、車両内に設置されるコネクタであっても、例えば車内に持ち込んだ傘の雨水や飲み物をこぼした場合等に水分がかかり、コネクタ間の隙間から内部に水分が浸入する虞がある。このため、車内用のコネクタであっても防水性を備えていることが好ましい。しかし、防水型のコネクタは上述したように二重のフード部やシール部材が必要となり、コネクタが大型化してしまう。
【０００５】
本明細書に開示される技術は上記のような事情に基づいて完成されたものであって、小型で、コネクタ内部に簡単に水が浸入し難いコネクタを提供することを目的とする。
【課題を解決するための手段】
【０００６】
本明細書に開示される技術は、フード部を有する雄コネクタと、前記フード部内に嵌合する本体部を備え、前記本体部が前記フード部に対して水平方向に嵌合される雌コネクタと、からなるコネクタであって、前記雌コネクタに、前記雄コネクタとの嵌合状態において前記フード部の外側に配され、前記フード部の先端部を上方から覆う小フード部が設けられている。
【０００７】
このような構成によれば、コネクタの上方から傘の雨水が落ちたり、飲み物等が溢された場合でも、嵌合状態のコネクタのうちフード部の先端部、すなわち、雄コネクタ（フード部）と雌コネクタ（本体部）との境界部は上方から小フード部により覆われているから、水分は小フード部をつたって下方に流れ落ち、フード部および本体部の間の隙間から水分がコネクタ内に浸入することが抑制される。しかも、小フード部はフード部の先端部を上方から覆うだけであって、コネクタの下方部分には設けられていないから、構造が簡易であるとともに、一般的な防水型のコネクタと比較して小型である。
【０００８】
なお、上述する上方とは、フード部の上面に対向する領域だけでなく、フード部の側面のうち上方の領域を含む場合がある。
【０００９】
上記コネクタは、以下の構成を備えていてもよい。
【００１０】
フード部および本体部には、嵌合状態において対向配置されるとともに、雄コネクタと雌コネクタとの嵌合方向に沿って延びて凹凸係合することにより嵌合方向を案内する案内部が設けられており、一対の案内部が、小フード部の下端の下方側に隣接して前記本体部に対して対向する位置に設けられていてもよい。
【００１１】
また、上記一対の案内部は、一方側がフード部に設けられ内側に向けて突出する雄側案内リブおよび本体部に設けられた雌側案内溝であり、他方側が本体部に設けられ外側に向けて突出する雌側案内リブおよびフード部に設けられた雄側案内溝であってもよい。
【００１２】
このような構成によれば、雌コネクタに小フード部が設けられている場合であっても、雄コネクタおよび雌コネクタの嵌合方向を案内する案内部をできる限りコネクタの端部寄りにおいて、しかも、本体部に対して対向する位置に設けることで、嵌合する際の案内機能を効果的に得ることができる。
【００１３】
また、フード部から内側に突出する雄側案内リブと、逆に、本体部から外側に突出する雌側案内リブとを本体部に対して対向する位置に設けることにより、さらに案内機能を効果的に得ることができる。
【００１４】
本体部は、雄コネクタと雌コネクタとの嵌合方向に沿って分割された複数の分割体を組み付けてなり、複数の分割体のうち一の分割体、および当該一の分割体と隣り合う他の分割体の互いに対向して配される側縁部のうち、雄コネクタと雌コネクタとの嵌合方向に沿って配される側縁部の少なくとも一つに、嵌合方向に沿って切り欠かれた切欠部が形成されており、切欠部は、フード部において嵌合方向に沿って内側に向けて突出して設けられた雄側案内リブを受ける雌側案内溝とされている構成としてもよい。
【００１５】
このような構成によれば、従来は一の分割体と他の分割体とを組み付けるための組み付け機構が配されていた領域の一部を、コネクタ嵌合時の案内部を設ける領域として利用することができる。
【発明の効果】
【００１６】
本明細書に開示される技術によれば、小型で、内部に簡単に水が入り難いコネクタが得られる。
【図面の簡単な説明】
【００１７】
【図１】一実施形態の雌コネクタの分解斜視図
【図２】雌コネクタの正面図
【図３】雌コネクタの右側面図
【図４】図２のＡ−Ａ断面図
【図５】雌コネクタの背面図
【図６】雌コネクタの左側面図
【図７】雌コネクタの平面図
【図８】雌コネクタの底面図
【図９】雄コネクタの正面図
【図１０】雄コネクタの左側面図
【図１１】雄コネクタの平面図
【図１２】コネクタの嵌合過程の右側面図
【図１３】コネクタの嵌合過程の右側断面図
【図１４】コネクタの嵌合過程の左側面図
【図１５】コネクタの嵌合過程の左側面図
【図１６】嵌合状態のコネクタの雌コネクタの正面側から見た正面図
【図１７】嵌合状態のコネクタの右側面図
【図１８】図１６のＢ−Ｂ断面図
【図１９】嵌合状態のコネクタを雌コネクタの背面側から見た背面図
【図２０】嵌合状態のコネクタを雌コネクタの斜め背面側から見た斜視図
【図２１】レバーを省略した嵌合状態のコネクタを雌コネクタの斜め背面側から見た斜視図
【図２２】レバーを省略した嵌合状態のコネクタを雌コネクタの斜め背面側から見た一部断面斜視図
【図２３】嵌合状態のコネクタを雌コネクタの背面側から見た断面図
【図２４】嵌合状態のコネクタの左側面図
【図２５】嵌合状態のコネクタの平面図
【図２６】嵌合状態のコネクタの底面図
【発明を実施するための形態】
【００１８】
一実施形態を図１ないし図２６によって説明する。
【００１９】
本実施形態のコネクタ１は、互いに嵌合可能な雌コネクタ１０と雄コネクタ５０とを備え、雌コネクタ１０に装着されたレバー４０を回動操作することで雌雄両コネクタ１０，５０が嵌合可能とされたものである。尚、以下の説明においては、雌雄両コネクタ１０，５０の嵌合方向を基準としてそれぞれ嵌合面側を前方とし、反対方向を後方とする。また、雌雄両コネクタ１０，５０の設置方向を基準として、図２の上側を上方とし、下側を下方とする。さらに、雌コネクタ１０を正面から見た場合の右側（図２の右側）を右とし、左側を左とする。
【００２０】
図１ないし図８に示す雌コネクタ１０は、合成樹脂製の雌コネクタハウジング１１と、複数の雌端子（図示せず）と、レバー４０とを備えている。雌コネクタハウジング１１は、例えば図１に示すように、ブロック状をなす本体部１２を有しており、複数の雌端子は本体部１２を前後方向に貫通して設けられた複数のキャビティ１３内に後方側から収容されている。なお図１の雌コネクタハウジング１１は、説明上わかり易いように横倒しの状態とされているが、雌コネクタ１０が車両に設置される際には、図１の左側が上方に配される。
【００２１】
本体部１２は図２の正面図に示すように縦長の直方体状に形成されており、本実施形態では高さ（上下）方向の寸法が幅（左右）方向の寸法の約３倍とされている。
【００２２】
本体部１２は、嵌合方向Ｘに沿って分割された二つの部材を組み付けることにより形成されている。一方は上方側に配される第１分割体１４であり、他方は下方側に配される第２分割体１５である。第１分割体１４と第２分割体１５とは高さ方向の比が約２：１とされており、幅（左右）方向と深さ（前後）方向の寸法は同等とされている。
【００２３】
第１分割体１４のうち第２分割体１５との対向面１４Ａの左方寄りの領域には、左側の端縁部から所定距離Ｌ１離れた位置に、前端から嵌合方向Ｘ（前後方向）に延びる突当リブ１６が突出して設けられている。また、同じく対向面１４Ａの前方寄りの領域には、嵌合方向Ｘと直交する方向Ｙ（左右方向）に延びる一対の第１突条部１７および第２突条部１８が突出して設けられている。前方側に配される第１突条部１７は、基端側から３条の片が側方に向けて略放射状に張り出しており、後方側に配される第２突条部１８は、基端側から２条の片が側方に向けて放射状に張り出している。
【００２４】
これらの一対の突条部１７，１８は、突当リブ１６から連続して右側方（図１の上方）に向けて延びており、対向面１４Ａの右側の端縁部から所定距離Ｌ１離れた位置まで形成されている。またこれらの一対の突条部１７，１８の対向面１４Ａからの突出寸法は、突当リブ１６の対向面１４Ａからの突出寸法と同等とされており、突出方向における先端面が面一とされている。
【００２５】
一方、第２分割体１５は、第１分割体１４と対向する側縁部のうち左側の側縁部が、前端から嵌合方向Ｘ（前後方向）に沿って断面Ｌ字形状に切り欠かれた第１切欠部２１とされており、その切り欠き面に沿うように第１分割体１４の突当リブ１６の下面および右側面が当接されるようになっている（図２参照）。また、右側の側縁部も、前端から断面Ｌ字形状に切り欠かれた第２切欠部２２とされている。
【００２６】
さらに、第２分割体１５の第１分割体１４との対向面１５Ａのうち、第１切欠部２１および第２切欠部２２の間の中央領域には、上述した一対の突条部１７，１８を嵌め入れる一対の受け溝２３，２４が左右方向（Ｙ方向）に延びて設けられている（図４参照）。受け溝２３，２４は、突条部１７，１８を嵌め入れるべく、開口から溝の底部側に向けて広がる断面略Ｃ字形状をなしている。
【００２７】
また、図４に示すように、一対の突条部１７，１８および受け溝２３，２４の後方側（図４の右側）には、第１分割体１４の対向面１４Ａ側が突出し、第２分割体１５の対向面１５Ａ側が窪む段差状の段差部２５が設けられている。第１分割体１４および第２分割体１５は、これら一対の突条部１７，１８および受け溝２３，２４と段差部２５とが左右方向（Ｙ方向）に相対的にスライドしつつ互いに噛み合わされることにより、一体的に組み付けられるようになっている。
【００２８】
なお、組み付け状態の本体部１２においては、図２に示すように、第１分割体１４の対向面１４Ａと、突当リブ１６の左側面と、第１切欠部２１とで囲まれた領域が、本体部１２の左側面から前後方向に延びる溝状に窪む雌側第１案内溝２６１とされ、同じく第１分割体１４の対向面１４Ａと、第２切欠部２２（一対の突条部１７，１８の右端面を含む）とで囲まれた領域が、本体部１２の右側面から前後方向に延びる溝状に窪む雌側第２案内溝２６２とされている。雌側第１案内溝２６１および雌側第２案内溝２６２は、いずれも溝深さがＬ１とされているとともに、本体部１２に対して互いに対向する位置に形成されている。
【００２９】
また本体部１２には、雌側第１案内溝２６１および雌側第２案内溝２６２の他にも、前端から嵌合方向Ｘ（前後方向）に延びる５つの雌側案内溝２６が設けられている。以下、第１分割体１４の右側面の高さ方向における中央付近に設けられたものを雌側第３案内溝２６３、上面に設けられたものを雌側第４案内溝２６４、左側面の上方寄りに設けられたものを雌側第５案内溝２６５、第２分割体１５の底面に設けられたものを雌側第６案内溝２６６、右側面の高さ方向における中央付近に設けられたものを雌側第７案内溝２６７とする。このうち雌側第４案内溝２６４と雌側第６案内溝２６６とは、本体部１２に対して互いに対向する位置に形成されている。
【００３０】
さらに本体部１２には、第１分割体１４の右側面のうち、雌側第５案内溝２６５に対向する位置に、外側に向けて突出するとともに前端から嵌合方向Ｘ（前後方向）に延びる雌側第１案内リブ２７１が設けられている。また、第２分割体１５の左右の側面の下端においても、雌側第１案内リブ２７１と同様の形態とされるとともに互いに対向する雌側第２案内リブ２７２および雌側第３案内リブ２７３が突出して設けられている。雌側第２案内リブ２７２および雌側第３案内リブ２７３は本体部１２の下端に設けられている。
【００３１】
本体部１２には、前後方向に貫通する複数のキャビティ１３が形成されている。より詳細には、第１分割体１４には複数の第１キャビティ１３１が横２列に設けられるとともに、第１キャビティ１３１より大きい第２キャビティ１３２が第１キャビティ１３１と並んで一列設けられている。また第２分割体１５には、第２キャビティ１３２が横３列に並んで設けられている。
【００３２】
これらの複数のキャビティ１３は、いずれもキャビティ１３内の右壁にランスが設けられる向きで形成されている。図示しない雌端子をキャビティ１３内に挿入する際には、雌コネクタハウジング１１の左側面を下方に配した状態（図１の状態）に倒し、後方側から電線に接続された雌端子を挿入するとともに、リテーナ２８を右側（図１の上方）から装着して雌端子を抜け止めする。
【００３３】
その後、雌端子が保持された雌コネクタ１０を車両の所定の位置に設置する際には、雌コネクタ１０を９０度回転させて後述する小フード部３０が上方に配される縦置きの状態で設置する。このようにすることにより、雌端子をより円滑にキャビティ１３内に設置することができる。
【００３４】
雌コネクタハウジング１１には、本体部１２の上方および側方の一部を覆うように配される正面視門型（Ｕ字形状）の小フード部３０が設けられている。小フード部３０は、図４に示すように、本体部１２の後端（図４の右側）付近から外側に向けて立ち上がるとともに、前方に延びる断面略Ｌ字形状をなしている。その後方側の外面には、小フード部３０の上面と本体部１２の背面とを連結するように斜めに架け渡し、かつ、小フード部３０の背面と本体部１２の上面とを連結する形態の、複数の案内部３１が設けられている（図２１参照）。
【００３５】
小フード部３０の前端は、本体部１２の前後方向（Ｘ方向）における中央部よりやや後方側とされており、前後方向において本体部１２のうち後方領域だけを覆っている。また、小フード部３０は、本体部１２の右側面および左側面のうち上方領域だけを覆っている。なお、小フード部３０の内周面と本体部１２の外周面との間は、後述するフード部５２の先端を緊密に嵌め入れることができる寸法の嵌合空間Ｓとされている。
【００３６】
なお、上述した雌側第１案内リブ２７１および雌側第５案内溝２６５は、小フード部３０の下端の下方側に隣接するとともに、本体部１２に対して互いに対向する位置に設けられている。
【００３７】
雌コネクタハウジング１１には、待機位置と嵌合位置との間で回動可能なレバー４０が装着されている。レバー４０は、例えば図５の背面図に示すように略門形をなし、操作部４１と、操作部４１の両端部に連結されるとともに対向状態で配された一対の板状の右アーム部４２Ｒおよび左アーム部４２Ｌとから構成されている。
【００３８】
一対のアーム部４２Ｒ，４２Ｌには回動孔４３が設けられており、これらの回動孔４３に雌コネクタハウジング１１の本体部１２の両側面から突出する回動軸２９が嵌め入れられることで、レバー４０が雌コネクタハウジング１１に対して回動可能に支持されている。そして、レバー４０の回動操作に伴い、レバー４０の内側に設けられたカム溝４４と後述する雄コネクタハウジング５１のカムピン５６とのカム作用により、雌雄のコネクタ１０、５０が嵌合されるようになっている。
【００３９】
レバー４０の右アーム部４２Ｒには、ロック片４６が設けられている（図１参照）。ロック片４６は、レバー４０が嵌合位置に配された際に、その先端に設けられた係止爪４６Ａが後述する雄コネクタハウジング５１のロック孔６２に係止することにより、雄雌コネクタ１０，５０の嵌合状態をロックするようになっている。
【００４０】
また右アーム部４２Ｒの内側には、後述する雄側第１案内溝５４１を逃がすための逃がし部４９が設けられている（図２３参照）。
【００４１】
またレバー４０の左アーム部４２Ｌは、図２４の嵌合位置に配された状態おいて、操作部４１に隣接した基端側（図２４の上方）の領域が前方（図２４の右側）に向けて略半円形状に張り出す張出部４７とされている。張出部４７は基端側から連続した滑らかな側縁部を有して張り出している。また、張出部４７より先端側（図２４の下方側）の領域も前方に向けて張出部４７よりやや緩やかに張り出すとともに、その縁部に沿って外面側が段差状に窪んでおり、嵌合位置に配された状態において後述する規制部６０により雌コネクタハウジング１１からの離脱が規制される抜止部４８とされている。
【００４２】
なお張出部４７は、図１４に示す嵌合開始位置から図１５に示す嵌合途中、そして、図２４に示す嵌合状態にわたって、小フード部３０と摺接するように設定されている。
【００４３】
一方、図９ないし図１１に示す雄コネクタ５０は、合成樹脂製の雄コネクタハウジング５１を有し、この雄コネクタハウジング５１には、前方に開口するフード部５２が設けられている。フード部５２は縦長の略直方体状の筐型に形成されており、雌コネクタハウジング１１を内側に嵌合可能な大きさに設定されている。
【００４４】
フード部５２には、上述した雌コネクタハウジング１１の雌側第１〜第７案内溝２６１〜２６７に嵌め入れるための雄側第１〜第７案内リブ５３１〜５３７が内側に向けて突出して設けられている。雄側第１〜第７案内リブ５３１〜５３７は、雌側第１〜第７案内溝２６１〜２６７に対応する位置に形成されている。このように雄側に複数のリブを設ける構成とすることにより、雄コネクタハウジング５１内へ作業者の指が誤って入ることを抑制することができる。
【００４５】
また、フード部５２には、上述した雌コネクタハウジング１１の雌側第１〜第３案内リブ２７１〜２７３を嵌め入れるための雄側第１〜第３案内溝５４１〜５４３が、外側に向けて張り出す形態で設けられている。
【００４６】
フード部５２の内部には、タブ状をなす複数の雄端子６３（第１端子６３１、第２端子６３２）が前方に突出して設けられている。雄端子６３は、雌コネクタハウジング１１のキャビティ１３（第１キャビティ１３１，第２キャビティ１３２）内に収容された雌端子と対応する位置に配置されている。雄端子６３は、フード部５２の奥壁５５に圧入もしくはインサート成形によって固定されている。
【００４７】
さらにフード部５２の外面のうち高さ方向における中央付近には、外側に向けて突出してレバー４０のカム溝４４に係合する円柱状の一対のカムピン５６が互いに対向する位置に設けられている。カムピン５６は、レバー４０のカム溝４４と係合してカム作用を発揮する。
【００４８】
フード部５２の右隣（図９の左側）には、前方に開口するレバー収容部５７がフード部５２と並んで設けられている。レバー収容部５７は、図９に示すように、フード部５２より小さいサイズとされており、雌コネクタハウジング１１に装着されたレバー４０の一部（右アーム部４２Ｒ）を内部に収容可能としている。
【００４９】
詳細には、レバー収容部５７は、図１１に示すように、前端（図１１の下側）がフード部５２の前端と同位置とされるとともに後端はフード部５２の後端より前方に配され、前後方向（Ｘ方向）においてはフード部５２の約１／３の深さ寸法とされている。また、図９に示すように、上端はフード部５２と同高さとされる一方、下端はフード部５２の底壁よりやや上方に配されており、フード部５２に設けられた雄側第３案内溝５４３をその下方に逃がせるようになっている。なお、上述した一対のカムピン５６のうち、フード部５２の右側壁（図９の左側）に設けられたカムピン５６は、レバー収容部５７内に配されている。また、上述した雄側第１案内リブ５３１も、レバー収容部５７内に張り出して配されている。
【００５０】
雄コネクタハウジング５１（フード部５２およびレバー収容部５７）には、図１１および図２２に示すように、上壁から左側壁（図１１および図２２の右側）にかけて、壁の厚さ方向における外面側の一部が前端から後方に向けて切り欠かれて段差状に窪んだ小フード装着部５８が設けられている。小フード装着部５８は、上述した雌コネクタハウジング１１の小フード部３０を外嵌させるための領域である。雌コネクタ１０および雄コネクタ５０の嵌合状態においては、図１８に示すように、雄コネクタハウジング５１の小フード装着部５８が、雌コネクタハウジング１１の本体部１２と小フード部３０との間の嵌合空間Ｓ内に緊密に嵌合されるようになっている。
【００５１】
なお、小フード装着部５８の段差の寸法は、小フード部３０の壁部の厚さ寸法より小さい寸法に設定されており、図１８および図２３に示す嵌合状態においては、小フード部３０の外面がフード部５２の外面より僅かに突出するようになっている。
【００５２】
さらに、雄コネクタハウジング５１のうち小フード装着部５８の右隣（図１１および図２２の左側）には、小フード部３０の右側壁を下方に逃がすための切欠部５９が設けられている。
【００５３】
また、レバー収容部５７（雄コネクタハウジング５１）の右側壁には、レバー４０が嵌合位置に配された状態において、レバー４０のロック片４６の係止爪４６Ａを係止するための矩形のロック孔６２が貫通形成されている（図１２および図１７参照）。
【００５４】
さらに、フード部５２（雄コネクタハウジング５１）の左側面の中央部付近には、当該左側面から段差状をなして扁平に突出する規制部６０が設けられている（図２１参照）。規制部６０は、レバー４０の過剰な回動を規制するものであり、図２４に示すように、両コネクタ１０，５０の嵌合状態においては、左アーム部４２Ｌの張出部４７に当接してレバー４０の過剰な回動を規制するようになっている。
【００５５】
またこの規制部６０は、図２１に示すように、後方側（図２１の左側）かつ下方側の段差状の部分が一部切り欠かれることにより収容部６１が形成されており、この収容部６１内に上述したレバー４０の左アーム部４２Ｌの抜止部４８が収容されることにより、左アーム部４２Ｌひいてはレバー４０が嵌合状態のコネクタ１から離脱することが規制されるようになっている（図２０および図２４参照）。
【００５６】
本実施形態のコネクタ１は以上の構成であって、続いてその作用・効果を説明する。
【００５７】
まず、レバー４０を待機位置にセットした雌コネクタ１０の前端を、雄コネクタ５０のフード部５２内に相対的に進入させる。すると、レバー４０のカム溝４４内に、雄コネクタ５０のカムピン５６が進入する。
【００５８】
次に、レバー４０を待機位置から嵌合位置へと回動させる。すると、カムピン５６がカム溝４４の奥方へ相対的に移動し、このカム作用により、雌雄の両コネクタ１０、５０の嵌合が進行する。
【００５９】
この時、雌コネクタ１０の本体部１２に設けられた雌側第１〜第３案内リブ２７１〜２７３が雄コネクタ５０のフード部５２に設けられた雄側第１〜第３案内溝５４１〜５４３内に進入（凹凸係合）するとともに、フード部５２に設けられた雄側第１〜第７案内リブ５３１〜５３７が本体部１２に設けられた雌側第１〜第７案内溝２６１〜２６７内に進入（凹凸係合）することにより、雌コネクタ１０と雄コネクタ５０との嵌合姿勢が正規姿勢に案内される。
【００６０】
またレバー４０の右アーム部４２Ｒは、雄コネクタハウジング５１のレバー収容部５７内に進入する。一方レバー４０の左アーム部４２Ｌは、小フード部３０と摺接しつつ雄コネクタハウジング５１のフード部５２の左側面に沿って回動し、左側面の外面に所定の隙間（小フード部３０を内側に逃がすことが可能な隙間）を介して対向配置される（図２３参照）。
【００６１】
さらに雌雄の両コネクタ１０，５０の嵌合が進み、雄コネクタ５０のフード部５２の先端が雌コネクタ１０の小フード部３０の先端まで到達すると、フード部５２は小フード部３０と本体部１２との間の嵌合空間Ｓ内に進入する（図１８参照）。
【００６２】
レバー４０が嵌合位置まで回動され、雌雄コネクタ１０、５０が正規の嵌合状態となると、レバー４０の右アーム部４２Ｒに設けられたロック片４６の先端の係止爪４６Ａが雄コネクタハウジング５１のロック孔６２内に係止し、雌雄コネクタ１０、５０の嵌合状態がロックされる（図１７参照）。
【００６３】
なお、この嵌合過程において、雌コネクタハウジング１１のキャビティ１３から後方側に引き出された電線Ｗは、図１４、図１５、および図２４に示すように、小フード部３０の案内部３１の傾斜状とされた外面と、左アーム部４２Ｌの張出部４７の滑らかな側縁部とによって、外側に速やかに案内されるようになっている。また、上述したように、小フード部３０と左アーム部４２Ｌとは回動時に摺接するように設定されており、両者の間に隙間がないので、電線Ｗが小フード部３０と左アーム部４２Ｌとの間に誤って噛み込まれることが回避される。
【００６４】
嵌合状態において、レバー４０の左アーム部４２Ｌは、張出部４７が規制部６０に当接しており、これにより、レバー４０の過剰な回動が規制されている。また、左アーム部４２Ｌの抜止部４８の一部が規制部６０の収容部６１内に収容されることにより、左アーム部４２Ｌひいてはレバー４０が嵌合状態のコネクタ１から離脱することが規制されている（図２４参照）。
【００６５】
さらにこの嵌合状態においては、雄コネクタ５０のフード部５２の先端は、雌コネクタ１０の本体部１２と小フード部３０との間の嵌合空間Ｓ内に緊密な状態で嵌合している。すなわちこの状態において小フード部３０は、雄コネクタハウジング５１（フード部５２）の先端に設けられた小フード装着部５８の上面と、フード部５２の一対の側面の上方部分とを外側から覆っている（図２３参照）。
【００６６】
このような本実施形態のコネクタ１によれば、雌コネクタ１０に、雄コネクタ５０との嵌合状態においてフード部５２の外側に配され、フード部５２の先端の上方部分を上方および側方から覆う小フード部３０が設けられている。
【００６７】
よって、コネクタ１の上方から傘の雨水が落ちたり、飲み物等が溢された場合でも、雄コネクタ５０のフード部５２と雌コネクタ１０の本体部１２との境界部を上方から覆う小フード部３０により、水分は小フード部３０をつたって下方に流れ落ち、フード部５２および本体部１２の間の隙間から水分がコネクタ１内に浸入することが抑制される。しかも、小フード部３０はフード部５２の先端部を上方から覆うだけであって、コネクタ１の下方部分には設けられていないから、構造が簡易であるとともに、一般的な防水型のコネクタと比較して小型である。
【００６８】
また、フード部５２および本体部１２には、嵌合状態において対向配置されるとともに、雌コネクタ１０と雄コネクタ５０との嵌合方向に沿って延びて凹凸係合することにより嵌合方向を案内する、複数の案内リブ２７１〜２７３、５３１〜５３７および案内溝２６１〜２６７、５４１〜５４３からなる案内部が設けられており、このうちの一対の案内部が、小フード部３０の下端の下方側に隣接して本体部１２に対して対向する位置に設けられている。
【００６９】
上記一対の案内部は、一方側がフード部５２に設けられ内側に向けて突出する雄側第５案内リブ５３５および本体部１２に設けられた雌側第５案内溝２６５であり、他方側が本体部１２に設けられ外側に向けて突出する雌側第１案内リブ２７１およびフード部５２に設けられた雄側第１案内溝５４１である。
【００７０】
このように、本体部１２から外側に向けて突出する案内リブ２７（雌側第１案内リブ２７１）を設けると、その案内リブ２７を受けるための案内溝５４（雄側第１案内溝５４１）をフード部５２の外面側に突出させるように設けることとなるため、本実施形態のようにフード部５２の一部を覆う小フード部３０を設ける場合には、小フード部３０が邪魔となり、フード部５２において案内溝５４を所望の位置に設けることができない場合がある。
【００７１】
このような問題に対し、本実施形態では、雌コネクタ１０に小フード部３０が設けられている場合であっても、雌コネクタ１０および雄コネクタ５０の嵌合方向を案内する一対の案内部をできる限りコネクタ１の上端部寄り（小フード部３０の下端の下方側に隣接した位置）において、しかも、本体部１２に対して対向する位置に設けることで、案内機能を効果的に得ることができる。
【００７２】
また、このようにフード部５２から内側に突出する雄側案内リブ５３と、逆に、本体部１２から外側に突出する雌側案内リブ２７とを組み合わせて、本体部１２に対して対向する位置に設けているから、さらに案内機能を効果的に得ることができる。
【００７３】
また、本体部１２は、雌コネクタ１０と雄コネクタ５０との嵌合方向に沿って分割された第１分割体１４および第２分割体１５を組み付けてなり、第１分割体１４および第２分割体１５の互いに対向して配される対向面１４Ａおよび１５Ａの側縁部のうち、雌コネクタ１０と雄コネクタ５０の嵌合方向（Ｘ方向）に沿って配される側縁部に、嵌合方向に沿って切り欠かれた第１切欠部２１および第２切欠部２２が形成されており、これらの第１切欠部２１および第２切欠部２２は、フード部５２において嵌合方向に沿って内側に向けて突出して設けられた雄側第１案内リブ５３１および雄側第２案内リブ５３２を受ける雌側第１案内溝２６１および雌側第２案内溝２６２とされている。
【００７４】
このような構成によれば、従来は一の分割体と他の分割体とを組み付けるための組み付け機構が配されていた領域の一部を、コネクタ嵌合時の案内部を設ける領域として利用することができる。
【００７５】
このような本実施形態のコネクタ１によれば、小型で、内部に簡単に水が入り難いコネクタ１とすることができる。
【００７６】
＜他の実施形態＞
本明細書に開示される技術は上記記述及び図面によって説明した実施形態に限定されるものではなく、例えば次のような実施形態も技術的範囲に含まれる。
【００７７】
（１）上記実施形態では、小フード部３０を略門型とし、フード部の先端を上方および側方から覆う構成としたが、上方だけを覆う構成としてもよい。
【００７８】
（２） 上記実施形態では、フード部５２が小フード部３０と本体部１２とで囲まれた嵌合空間Ｓ内に緊密に嵌合する構成としたが、小フード部３０を本体部１２からより離れた位置に設け、フード部５２の先端を離れた位置から覆う構成としてもよい。
【００７９】
（３）案内リブや案内溝の位置や数は上記実施形態に限るものでなく、適宜変更することができる。
【００８０】
（４）また、案内部（案内リブおよび案内溝）の凹凸の向きも、上記実施形態に限るものではない。
【００８１】
（５）上記実施形態では、小フード部３０に設ける案内部３１を、小フード部３０の上面と本体部１２の背面とを連結するように斜めに架け渡し、かつ、小フード部３０の背面と本体部１２の上面とを連結する形態としたが、単に、小フード部３０の上面と本体部１２の背面とを連結する斜めの板状の形態としてもよい。
【００８２】
（６）上記実施形態では、レバー４０の左アーム部４２Ｌと小フード部３０とが摺接する形態としたが、必ずしも摺接しなくてもよい。要は、左アーム部４２Ｌと小フード部３０との間に隙間に電線Ｗが噛み込まない寸法に設定されていればよい。
【符号の説明】
【００８３】
１：コネクタ
１０：雌コネクタ
１２：本体部
１４：第１分割体（分割体）
１５：第２分割体（分割体）
２１：第１切欠部
２２：第２切欠部
２３，２４：受け溝
２６：雌側案内溝（案内部）
２７：雌側案内リブ（案内部）
３０：小フード部
３１：案内部
４０：レバー
５０：雄コネクタ
５２：フード部
５３：雄側案内リブ（案内部）
５４：雄側案内溝（案内部）
Ｓ：嵌合空間
Ｗ：電線
Ｘ：嵌合方向
【図１】
2019021493.tif 000003
【図２】
2019021493.tif 000004
【図３】
2019021493.tif 000005
【図４】
2019021493.tif 000006
【図５】
2019021493.tif 000007
【図６】
2019021493.tif 000008
【図７】
2019021493.tif 000009
【図８】
2019021493.tif 000010
【図９】
2019021493.tif 000011
【図１０】
2019021493.tif 000012
【図１１】
2019021493.tif 000013
【図１２】
2019021493.tif 000014
【図１３】
2019021493.tif 000015
【図１４】
2019021493.tif 000016
【図１５】
2019021493.tif 000017
【図１６】
2019021493.tif 000018
【図１７】
2019021493.tif 000019
【図１８】
2019021493.tif 000020
【図１９】
2019021493.tif 000021
【図２０】
2019021493.tif 000022
【図２１】
2019021493.tif 000023
【図２２】
2019021493.tif 000024
【図２３】
2019021493.tif 000025
【図２４】
2019021493.tif 000026
【図２５】
2019021493.tif 000027
【図２６】
2019021493.tif 000028